(57)【要約】  ビデオフォトグラフィック機器のためのアタッチメント手段（８）が配設されている第１のつなぎジョイント部材（２）と、ビデオフォトグラフィック機器の方向付けを好適な位置にするために前記第１のつなぎジョイント部材と連結する第２のつなぎジョイント部材（３）と、水平面に対する前記ビデオフォトグラフィック機器の位置を示すために、前記アタッチメント手段と前記第２のつなぎジョイント部材との間にて延びている脚（５）の内部の前記第１のつなぎジョイント部材に配置されている平坦な指標（３０）とを具備するビデオフォトグラフィック機器を支持するための方向付けヘッド。
2011505584.tif 000002
【特許請求の範囲】
【請求項１】
ビデオフォトグラフィック機器のためのアタッチメント手段（８）が配設されている第１のつなぎジョイント部材（２）と、
ビデオフォトグラフィック機器の方向付けを好適な位置にするために前記第１のつなぎジョイント部材と連結する第２のつなぎジョイント部材（３）と、
水平面に対する前記ビデオフォトグラフィック機器の位置を示すために、前記第１のつなぎジョイント部材に配置されている平坦な指標（３０）と、
を具備し、
前記平坦な指標（３０）は、前記アタッチメント手段（８）と前記第２のつなぎジョイント部材（３）との間にて延びている脚（５）の内部の前記第１のつなぎジョイント部材（２）に配置されていることを特徴とするビデオフォトグラフィック機器を支持するための方向付けヘッド。
【請求項２】
前記第１，２のつなぎジョイント部材（２，３）は、玉軸継手を形成する請求項１に記載のヘッド。
【請求項３】
前記平坦な指標は、バブルタイプである請求項１または請求項２に記載のヘッド。
【請求項４】
前記脚（５）には、前記平坦な指標を観察するための少なくとも１つの窓（３２）が配設されている前記請求項のいずれかに記載のヘッド。
【請求項５】
複数の窓は、前記脚に配設され、前記脚に対して刻まれて配置され、前記平坦な指標の観察を前記第１のつなぎジョイント部材の角度位置から独立させる請求項４に記載のヘッド。
【請求項６】
前記アタッチメント手段は、前記２のつなぎジョイント部材に対向する前記脚の端に据え付けられているプレート（６）を具備し、前記プレートは、前記第１のつなぎジョイント部材にて前記ビデオフォトグラフィック機器を支持するための支持表面（７）を規定し、前記平坦な指標（３０）は、前記水平面に対する前記支持表面の垂直な状態を示すために、前記脚に配置されている前記請求項のいずれかに記載のヘッド。
【請求項７】
前記平坦な指標は、前記脚（５）の長い（Ｘ）軸に沿って延びている前記請求項のいずれかに記載のヘッド。
【発明の詳細な説明】
【技術分野】
【０００１】
本発明は、ビデオフォトグラフィック機器を支持し、独立請求項の序文にて簡単に述べた特徴を有する方向付けヘッドに関する。
【背景技術】
【０００２】
発明に関する技術分野において、ビデオフォトグラフィック機器を支持し、支持平面に対して同じように方向付けるように配置されている多数の方向付けヘッドが知られている。
【０００３】
特に、ヘッドは、ビデオフォトグラフィック機器のためのアタッチメントプレートに固定される第１のつなぎジョイント部材と、三脚のようなスタンドを支え手段として一般的に備える第２のつなぎジョイント部材とを具備する玉軸継手タイプのつなぎジョイントを備えていることが知られている。
【０００４】
このようなタイプのヘッドは、玉軸継手タイプのヘッドとして知られ、スタンドに対して機器を（一般的な固定角を有する）いくつかの好適な位置にてロックすることができる。しかしながら、いくつかの標準的な位置、特に水平面に対して並行または垂直な状態を、この幅広い位置に対して一致するように、正確に見極めることが難しい。
【０００５】
この欠点は、１つまたは複数のバブルタイプの平坦（水平）な指標のアタッチメントプレートに配設することで普通は改善する。しかしながらこれらは、機器に据え付けられても容易に見えるようにする必要があり、突出位置に普通配置されるため、これによりヘッド全体の寸法が増加してしまう。
【発明の概要】
【０００６】
本発明の基礎をなす課題は、従来技術に関連する上記に簡単の述べた限定的なことを構造的に改善するように計画されたビデオフォトグラフィック機器を支持するための方向付けヘッドを提供することである。
【０００７】
この課題は、本発明によって、後述する請求項に従って生み出される方向付けヘッドによって解決される。
【０００８】
発明の特徴と利点とは、好適な代表的な実施形態の詳細な説明と、添付した図面に関連する限定されない実例のためにイラストから明瞭となる。
【図面の簡単な説明】
【０００９】
【図１】図１は、本発明に従って生み出されたビデオフォトグラフィック機器を支持するための方向付けヘッドの正面図である。
【図２】図２は、図１の方向付けヘッドの左側面図である。
【図３】図３は、図１におけるＩＩＩ―ＩＩＩ平面におけるヘッドの断面図である。
【発明を実施するための形態】
【００１０】
図において、符号１は、本発明に従って生み出された方向付けヘッド全体を示している。
【００１１】
ヘッド１は、ビデオフォトグラフィック機器を支持し、三脚のような地面に固定支持を配設する機能を有する一般的なスタンドに対して同じように方向付ける構造である。前述したビデオフォトグラフィック機器とスタンドとの両方は、それ自体でありきたりのものであり、添付した図面には示されていない。
【００１２】
ヘッド１は、ビデオフォトグラフィック機器に着脱自在に固定されるために、第１のアタッチメント手段が配設されている第１のつなぎジョイント部材２と、スタンドに着脱自在に固定されるために、第２のアタッチメント手段を備える第２のつなぎジョイント部材３とを具備している。
【００１３】
第１，第２のつなぎジョイント部材２，３は、オペレータによってスタンドに対してビデオフォトグラフィック機器の方向付けが好適な位置となるように、互いに連結している。
【００１４】
後述する発明の好適な形態において、第１，第２のつなぎジョイント部材２，３の間の連結は、玉軸継手を形成している。
【００１５】
特に、第１のつなぎジョイント部材２は、脚５のＸ軸に沿って放射状に延びている球状のキャップ４を具備している。脚５には、キャップ４の反対側の端にて、例えばねじによってプレート６が固定されている。表面７は、プレート６上に規定され、ビデオフォトグラフィック機器の支持を意図しており、表面７には、さらにフード８によって保護され、上述した第１のアタッチメント手段を形成するスクリューロッド８が突出する。支持表面７と脚５のＸ軸とは、互いに略垂直であることが好適である。
【００１６】
第１のアタッチメント手段は、他の適した方法で形成されていてよい。
【００１７】
第２のつなぎジョイント部材３は、Ｙ軸に対して回転可能となるように本体１０に固定されているベース９を具備している。ベース９は、同じＹ軸に沿って延びていることが好適で、第２のアタッチメント手段を構成し、スタンドを固定することができる細長い穴９ａを有している。
【００１８】
本体１０の内部において、球状のキャップ４を受け、係合によって球状のキャップ４を保持する一般的な球形形状のチャンバー１１が配設されている。
【００１９】
本体１０の上において、ベース９の反対側には、チャンバー１１の開口部１２が、脚５が浮き上がるように配設されている。チャンバー１１の開口部１２は、干渉によって、第２のつなぎジョイント部材３に対する第１のつなぎジョイント部材２の方向付けを限定的にすることができる。
【００２０】
開口部１２の輪郭は、ベース９に向かって延びており、脚５の配置をベース９の軸に対して略垂直位置にし、“ポートレート”として知られている位置（図面には図示しない）に機器を持ってくるために一般的に使用される凹部１３をさらに有している。
【００２１】
ヘッド１は、所望な相対位置で同様にロックするために第１，２のつなぎジョイント部材２，３の間で作動する第１のロック手段をさらに具備している。
【００２２】
第１のロック手段は、目的に適したさまざまなタイプがあり、例えば本体１０と一体のスライディングブロックを具備し、外部ノブ２１の作動によって球状のキャップ４に対して移動可能である。
【００２３】
ヘッド１は、Ｙ軸に対して所望な角度位置で同様にロックするためにベース９と本体１０との間で作動する同様の第２のロック手段２５を具備している。
【００２４】
ヘッド１は、第１のつなぎジョイント部材２に配置され、水平面に対する機器の位置を示す機能を有する平坦な指標３０を具備している。
【００２５】
発明の第１の実施形態に従って、平坦な指標３０は、脚５の内側に配設されているシートに収納され、同じＸ軸に沿って延びていることが好適である。平坦な指標３０は、スクリューロッド８によってシートの内側の位置に保持されている。
【００２６】
コストを抑えるために、平坦な指標３０は、例えば円筒状のバブルタイプであり、外周面に１対の円状の参照部３１が配設されていることが好適である。
【００２７】
平坦な指標３０によって配設される指標の観察するために、脚５は、例えばフライス削りによって、脚５に対して刻まれて配置されることが好適な複数の窓３２を有している。これにより、平坦な指標３０の観察は、Ｘ軸に対する第１のつなぎジョイント部材２の角度位置から独立することができる。
【００２８】
平坦な指標３０は、水平面に対する脚５の平行（と結果的に支持表面７の垂直）の位置を示すのに役立つ。この位置は、脚５が凹部１３を内側にて受け止め、上述した“ポートレート”位置に機器を配置するために求められる。この明確な位置において、指標３０の内部に配設されるガスバブルは、円状の参照部３１の間に配置される。
【００２９】
ヘッド１は、水平面に対して支持表面７の並行状態を示すために配置されている補助的な平坦な指標（図示しない）を便宜的に備えていてもよい。この場合、補助的な平坦な指標は、便宜的にプレート６に据え付けられる。
【００３０】
発明の戦略によって、ヘッド１は、平坦な指標３０が脚５の容積内に完全に含まれる限り、バブルタイプの平坦な指標を備える方向付けヘッドに比べて小さい全体寸法を有することとなる。
【００３１】
加えて、平坦な指標３０が“ポートレート”タイプの位置に配置されることで、普通、プレート６は、観察に対する障害を構成しなくなる。
【００３２】
本発明は、従来技術に対して簡単に上述した問題を解決し、同時に複数の利点を提供し、偶発的な破損と故障とを抑える支持を提供する事実を含むこととなる。事実、脚の内部の平坦な指標の場所は、ありきたりな支持において、平坦な指標の破損または誤調整によって導かれる衝撃に対する多大な保護をもたらす。
【図１】
2011505584.tif 000003
【図２】
2011505584.tif 000004
【図３】
2011505584.tif 000005
【国際調査報告】
2011505584.tif 000006
2011505584.tif 000007
2011505584.tif 000008